(57)【要約】【課題】大きな設置スペースを必要とすることなく、ケース体の内部に配設された切替機構が不正に操作されるのを防止する。【解決手段】球払出装置Ｌのケース体２８における左側壁４０に、通孔５４が穿設される。通孔５４は、第１の保護部材５６により塞がれる。第１の保護部材５６は、通孔５４より大径で板状に形成された本体５８と、本体５８の裏面に突設されて通孔５４に挿入される突起部６０とから構成される。突起部６０の先端部には、通孔５４の開口形状と略同一形状に設定されて該通孔５４に嵌合される嵌合部６０ａが形成される。そして、突起部６０の嵌合部６０ａを通孔５４に嵌合することで、本体５８の裏面が左側壁４０の外面に密着するように、第１の保護部材５６がケース体２８に取付けられる。【選択図】図２
0003104680.tif 000002
【実用新案登録請求の範囲】
【請求項１】
機裏側に貯留された遊技球が通入する球通路が設けられたケース体の内部に、前記球通路に臨む球送り体を遊技球の通過許容状態と通過阻止状態とに切替え可能な切替機構を設け、前記ケース体の壁に穿設した通孔に外側から挿入した作動部材で前記切替機構を操作して、前記球送り体が通過阻止状態から通過許容状態に切替えられることによって、前記遊技球を機前側の球皿に排出し得る遊技機の球払出装置において、
前記ケース体に着脱自在に取付けられて、前記通孔を塞ぐ保護部材を有し、
前記保護部材は、板状に形成された本体の裏面に突設されて前記通孔に挿入される突起部と、本体裏面が前記ケース体における壁の外面に密着するよう取付けられる取付け手段とを備えている
ことを特徴とする遊技機の球払出装置。
【請求項２】
前記ケース体の壁における通孔に対応する位置に、前記保護部材の本体が挿入可能な形状で、かつ該本体の厚みと略同一深さに設定される溝部を形成した請求項１記載の遊技機の球払出装置。
【請求項３】
前記溝部から保護部材を取出すための取出し部を設けた請求項２記載の遊技機の球払出装置。
【請求項４】
前記取付け手段は、前記通孔の開口形状と略同一に設定され、該通孔に嵌合される前記突起部である請求項１〜３の何れかに記載の遊技機の球払出装置。
【請求項５】
前記取付け手段は、前記突起部に設けられて前記通孔に螺合する螺子部である請求項１〜３の何れかに記載の遊技機の球払出装置。
【請求項６】
前記取付け手段は、前記本体に設けられて前記溝部に螺合する螺子部である請求項２または３記載の遊技機の球払出装置。
【請求項７】
前記取付け手段は、前記本体の裏面に貼着され、前記ケース体における壁の外面に貼着可能な貼着シールである請求項１〜３の何れかに記載の遊技機の球払出装置。
【考案の詳細な説明】
【技術分野】
【０００１】
この考案は、遊技機の球払出装置に関し、更に詳細には、パチンコ機やアレンジボール機等のパチンコ球を取扱う各種の遊技機において、パチンコゲーム中に発生されるセーフ球や入賞成立に対する賞球、あるいは遊技者による適正な球貸し操作に対する貸球を、所定数だけ払出す球払出装置に関するものである。
【背景技術】
【０００２】
パチンコ機やアレンジボール機に代表されるこの種のパチンコ遊技機は、遊技ホール内の設置枠台(通称「島」)に縦向きの姿勢で設置されて遊技に供され、そして機内の遊技盤内で展開されるパチンコゲーム中に成立した入賞(例えばセーフ球の発生や図柄組合わせによる得点)に対し、機裏側の機構セット盤に形成配置した球容器や整流路および球送出路等から構成される球貯留排出経路部内に貯留されたパチンコ球(遊技球)を、前記球送出路における球送出口の下方に配設した球払出装置の作動制御のもとに、所定数の賞球として機前側の上球皿または下球皿側へ給出するようになっている。一方、貸球用のカードおよびカードユニットを利用して遊技球を貸出し得るタイプの遊技機(一般に「カード式パチンコ遊技機」ともいう)では、前述した賞球払出しとは別に、遊技者による適正な球貸し操作に応答して前記球払出装置または別途設置された別の球払出装置の払出し作動により、球貯留排出経路部内の遊技球が所定数の貸球として前記賞球払出路を介して上球皿側へ給出されるようになっている。
【０００３】
前記球払出装置(例えば、特許文献１参照)は、上下に縦通される球通路を有するケース体の内部に、外周に多数個の球受部を等ピッチで形成配置した爪車状の球送り体が、その球受部を球通路に臨ませた状態で回転可能に配設される。また、ケース体に収容された電磁ソレノイドに、規制部材が傾動可能に支持されて、該規制部材が球送り体の球受部に係合・離脱して、該球送り体を拘束・解放するよう構成されている。すなわち、電磁ソレノイドの通電作動前(消磁状態)では球送り体が規制部材により停止拘束され、電磁ソレノイドの通電作動時(励磁状態)に規制部材による拘束から解放されて球送り体が回転可能となる。これにより、球送り体が通路内の遊技球を各球受部に受けながら所定角度に亘り回転されて、予め設定された個数の遊技球を払出すようになっている。
【０００４】
前記パチンコ遊技機では、機種入替時やメンテナンス時等に際し、前記球貯留排出経路部内に貯留されている全ての遊技球を球皿に排出させる必要から、前記球払出装置に球抜き機構が設けられている。この球抜き機構は、前記ケース体の壁に穿設された通孔と、該通孔と対応するケース体内部に摺動自在に配設され、前記規制部材の拘束位置から解放位置への傾動操作が可能な操作部材とから構成され、該操作部材の頭部は、前記通孔から外部に突出しないよう設定されている。そして、球抜き時には、ケース体外部から通孔に棒状の作動部材を差し込んで操作部材を押すことで、前記規制部材が拘束位置から解放位置に傾動し、これにより前記球送り体が回転可能となって球抜きが行なわれる。
【特許文献１】特開２００２−８５７５３号公報
【考案の開示】
【考案が解決しようとする課題】
【０００５】
前述したように、前記操作部材の頭部がケース体の外方に突出しない構成であれば、メンテナンス等に際して、該操作部材を誤動作させることは防止できるが、前記通孔は開放しているため、針金等を挿入すれば簡単に操作されてしまい、遊技球の不正球抜き獲得を防止し得ないという大きな問題を内在していた。すなわち、近年では、不正の手口が巧妙になっており、パチンコ遊技機前面から機裏側に侵入させた針金等を巧みに操りながら移動させることによって、ケース体の通孔に挿入して操作部材が操作されてしまい、球抜きが行なわれることにより、遊技球が不正に獲得されてしまう問題があった。
【０００６】
また、前記通孔から頭部が外方に突出するよう操作部材が設けられたケース体に、該操作部材の頭部を覆う保護部材を開閉可能に設け、常には保護部材を閉成して操作部材の頭部を覆うことで、誤動作や不正行為を防止する構成が提案されている。しかしながら、ケース体の外方に突出させた操作部材を保護部材で更に外側から覆う場合、ケース体から該保護部材が大きく出張るため、球払出装置を組付ける際に大きな設置スペースが必要になると共に、他の部材と干渉しないようにするために各部材の配設位置等を変更する等の煩雑な設計変更が必要となる問題が指摘される。
【０００７】
すなわち本考案は、前述した従来の技術に内在している前記課題に鑑み、これを好適に解決するべく提案されたものであって、大きな設置スペースを必要とすることなく、ケース体の内部に配設された切替機構が不正に操作されるのを防止し得る遊技機の球払出装置を提供することを目的とする。
【課題を解決するための手段】
【０００８】
前記課題を克服し、所期の目的を好適に達成するため、本考案に係る遊技機の球払出装置は、
機裏側に貯留された遊技球(T)が通入する球通路(42)が設けられたケース体(28)の内部に、前記球通路(42)に臨む球送り体(44)を遊技球(T)の通過許容状態と通過阻止状態とに切替え可能な切替機構(32)を設け、前記ケース体(28)の壁(40)に穿設した通孔(54)に外側から挿入した作動部材で前記切替機構(32)を操作して、前記球送り体(44)が通過阻止状態から通過許容状態に切替えられることによって、前記遊技球(T)を機前側の球皿に排出し得る遊技機の球払出装置において、
前記ケース体(28)に着脱自在に取付けられて、前記通孔(54)を塞ぐ保護部材(56,62,70,76,80)を有し、
前記保護部材(56,62,70,76,80)は、板状に形成された本体(58)の裏面に突設されて前記通孔(54)に挿入される突起部(60)と、本体(58)裏面が前記ケース体(28)における壁(40)の外面に密着するよう取付けられる取付け手段(60,72,78,82)とを備えていることを特徴とする。
【０００９】
前記ケース体(28)の壁(40)における通孔(54)に対応する位置に、前記保護部材(62,70,76)の本体(58)が挿入可能な形状で、かつ該本体(58)の厚みと略同一深さに設定される溝部(64)を形成する。
【００１０】
前記溝部(64)から保護部材(62,70,76)を取出すための取出し部(66)を設ける。
【００１１】
前記取付け手段(60)を、前記通孔(54)の開口形状と略同一に設定され、該通孔(54)に嵌合される前記突起部(60)とする。
【００１２】
前記取付け手段(72)を、前記突起部(60)に設けられて前記通孔(54)に螺合する螺子部(72)とする。
【００１３】
前記取付け手段(78)を、前記本体(58)に設けられて前記溝部(64)に螺合する螺子部(78)とする。
【００１４】
前記取付け手段(82)を、前記本体(58)の裏面に貼着され、前記ケース体(28)における壁(40)の外面に貼着可能な貼着シール(82)とする。
【考案の効果】
【００１５】
請求項１に係る遊技機の球払出装置によれば、本体が板状に形成された保護部材により切替機構を操作するための通孔を塞ぐよう構成したから、不正行為を確実に防止することができる。また、板状の本体裏面をケース体における壁の外面に密着するように取付けるようにしたから、保護部材のケース体からの突出量を抑えることができ、設置スペースが増大したり、他の部材との干渉を考慮して大きな設計変更を要することはない。更に、突起部を通孔に挿入するから、保護部材のケース体への位置決めが容易となる。
【００１６】
請求項２に係る球払出装置によれば、ケース体の壁に形成されて保護部材の本体が挿入される溝部の深さを、該本体の厚みと略同一に設定したから、ケース体に保護部材を取付けた状態では、その外表面とケース体における壁の外面とが略面一となる。すなわち、ケース体から保護部材が突出しないから、設置スペースは全く増大しない。また保護部材が突出しないから、メンテナンスや組付け時等に誤って引掛けて脱落させてしまうことも防止し得る。
【００１７】
請求項３に係る球払出装置によれば、溝部から保護部材を取出すための取出し部を設けたので、溝部内に臨む保護部材を取外す作業が容易となる。
【００１８】
請求項４に係る球払出装置によれば、通孔の開口形状と略同一に設定した取付け手段としての突起部を、該通孔に嵌合するよう構成したから、ケース体から保護部材が脱落するのは抑制される。また通孔と突起部との間には隙間がないため、該突起部により針金等の不正物が通孔に侵入されることを確実に防止し得る。
【００１９】
請求項５に係る球払出装置によれば、突起部に、通孔に螺合する取付け手段としての螺子部を設けたから、保護部材をケース体に強固に取付けることができると共に密着性が増し、通孔に不正物が侵入することをより防止し得る。
【００２０】
請求項６に係る球払出装置によれば、本体部に、溝部に螺合する取付け手段としての螺子部を設けたから、保護部材をケース体に強固に取付けることができると共に密着性が増し、通孔に不正物が侵入することをより防止し得る。
【００２１】
請求項７に係る球払出装置によれば、保護部材の本体に貼着した取付け手段としての粘着シールにより当該保護部材をケース体に貼着するよう構成したから、構成は簡単となり、コストを低廉に抑えることができる。
【考案を実施するための最良の形態】
【００２２】
次に、本考案に係る遊技機の球払出装置につき、好適な実施例を挙げて、添付図面を参照しながら、以下詳細に説明する。なお実施例では、遊技機としてパチンコ球を遊技媒体として使用する一般的なパチンコ機を例にして説明する。
【実施例１】
【００２３】
先ず、本実施例に係る球払出装置が実施されるパチンコ機について、図４を参照して要約説明すると、該パチンコ機Ｐは、外枠Ａに組付けられた中枠Ｂの裏側(図４での前側)に、夫々の球処理部を有する機構セット盤Ｇが着脱可能にセットされている。この機構セット盤Ｇは、中枠Ｂ裏側に位置する遊技盤セット用の保持枠１０の裏側に着脱可能に装備され、該保持枠１０に対応し得る方形サイズに樹脂成形された本体部１２の中央部に遊技盤裏面の点検用の窓口１４が開口され、これに裏カバー部材１６が開閉および着脱可能に取着されており、この窓口１４の図４において上部から右側部に亘る外周囲部に球貯留排出経路部１８等が配設されている。そして、この球貯留排出経路部１８の下側に、カセット形態とされる電動制御式の球払出装置Ｌが設置される一方、該球払出装置Ｌの下方に該装置Ｌから払出された遊技球(賞球または貸球)Ｔを、パチンコ機Ｐ前側に配設した図示しない上球皿または下球皿へ排出する球排出経路(図示せず)が形成されており、前記球貯留排出経路部１８に貯留された所定数のパチンコ球(遊技球Ｔ)が、球払出装置Ｌの作動により払出されるようになっている。
【００２４】
前記球貯留排出経路部１８は、機構セット盤Ｇの上部に上方開口状態で設置される球容器(「球タンク」とも云う)２０と、この球容器２０底面の下流端に開口された球出口に合わせた下部に取着される斜状レール形の整流路部２２と、左右蛇行状に形成されて前記整流路部２２の下流端に連絡するように取着される球送出路部２４とから構成され、相当量(例えば５００個程度)のパチンコ球を一時的に貯留し得るようになっている。
【００２５】
本実施例のパチンコ機Ｐは、前記球送出路部２４の球送出口に整合して遊技球Ｔの払出しに供される球払出装置Ｌを具備し、該球払出装置Ｌは、払出制御装置２６からの出力信号(払出し信号)により制御作動される。この球払出装置Ｌは、図１に示す如く、矩形箱体状に形成された合成樹脂製のケース体２８内に、電磁ソレノイド３０等を有する切替機構３２を収容して構成され(図２参照)、ケース体２８単位のユニット体として取扱い得るようになっている。なお、球払出装置Ｌに関する以後の説明において、前後、左右および上下とは、該装置Ｌを機構セット盤Ｇ裏側に配設した図４に示す状態を裏面側から視た関係で指称するものとする。
【００２６】
前記ケース体２８は、前方に開口する箱状のベース部材３４と、該ベース部材３４の前側開口を閉成するよう着脱自在に配設される後方に開口する箱状のカバー部材３６とから構成され、両部材３４,３６がビス等の固定手段３８により着脱可能に組付けられて矩形箱体状を呈するようになっている。前記ケース体２８には、左側の壁４０(以後「左側壁」と称す)側に偏った位置に、上下に縦通する球通路４２が形成されており、該球通路４２の上部開口が前記球送出路部２４の球送出口に整合されて、遊技球Ｔが通入可能に構成されると共に、その下部開口が球排出経路に連通している。
【００２７】
図２に示す如く、前記球通路４２より右側の前記ベース部材３４には、爪車状の球送り体４４が回動可能に配設され、その外周に形成した複数の各球受部４４ａを、球通路４２を画成する内部右壁４６に形成された通口４６ａを介して球通路４２内へ臨ませて、この球受部４４ａにより球通路４２内を流下する遊技球Ｔを１個ずつ球圧を受けながら回転して排出し得るようになっている。
【００２８】
前記ケース体２８には、球送り体４４の回転・停止規制をなす規制部材４８の切換作動源である電磁ソレノイド３０が、該球送り体４４を挟んで球通路４２とは反対側に収容配置されている。この電磁ソレノイド３０は、図２に示す如く、厚肉の金属板をコ字状に折曲形成したフレーム枠３０ａに、コイルを巻回した磁力発生部３０ｂを装着して構成され、通電時に発生された励磁力を、球送り体４４を指向する磁着部３０ｃに集中的に作用し得るよう構成される。これに対して規制部材４８は、金属製レバー状のものが例とされ、前記フレーム枠３０ａに傾動可能に支持されて磁着部３０ｃの対向位置に規制部４８ａを垂下しており、電磁ソレノイド３０の消磁状態において、常には引張バネ５０により球送り体４４の球受部４４ａを係止する方向へ付勢保持されて、該球送り体４４の回転停止を図ることで拘束状態(遊技球Ｔの通過阻止状態)とし得るようになっている。一方、前記電磁ソレノイド３０の通電による励磁作動に伴い磁力発生部３０ｂに磁力が発生したときには、その磁力により前記引張バネ５０の付勢力に抗して規制部材４８が球受部４４ａから離間して磁着部３０ｃに吸着されて、球送り体４４の回転を許容する解放状態(遊技球Ｔの通過許容状態)とするよう構成される。すなわち実施例では、電磁ソレノイド３０と規制部材４８とにより、球送り体４４を遊技球Ｔの通過阻止状態と通過許容状態とに切替え可能な切替機構３２を構成している。
【００２９】
前記ケース体２８のベース部材３４には、前記規制部材４８を球送り体４４の拘束状態から解放状態に強制的に切換える操作部材５２が、前記球通路４２と干渉しない位置において左右方向に水平移動可能に配設されている。この操作部材５２は、所定長さ寸法に設定された軸部５２ａの左端(長手方向の一端)に大径軸部５２ｂが形成されると共に、該大径軸部５２ｂの更に左端に、軸部５２ａと等径の操作頭部５２ｃが形成してある。そして、この操作頭部５２ｃが、ベース部材３４における左側壁４０に穿設された通孔５４に内側から挿入されている。なお、操作頭部５２ｃの軸長は、通孔５４における軸方向の長さより短かく設定され、図３に示す如く、前記大径軸部５２ｂが左側壁４０の内面に当接した状態で、操作頭部５２ｃが左側壁４０から外方(ケース体２８の外方)に突出しないよう構成される。
【００３０】
また、前記大径軸部５２ｂが左側壁４０の内面に当接した状態で、前記軸部５２ａの大径軸部５２ｂが形成されていない右端(長手方向の他端)は、前記規制部材４８における規制部４８ａの左側面(磁力発生部３０ｂとは反対側)に略直角に当接して、常には前記引張バネ５０の弾力によって大径軸部５２ｂが左側壁４０に当接するよう付勢されている。そして、前記通孔５４に外側から差込んだ棒状の作動部材(図示せず)を操作部材５２の操作頭部５２ｃに当接して右方(規制部４８ａを磁力発生部３０ｂに近接する方向)に押すことで、前記規制部材４８を引張バネ５０の付勢力に抗して拘束状態から解放状態に傾動変化させることができるようになっている。なお、操作部材５２に対する押圧力を解除すれば、引張バネ５０の付勢力によって拘束状態に戻る規制部材４８によって操作部材５２も初期の待機位置に戻るよう構成される。
【００３１】
前記球払出装置Ｌには、前記左側壁４０に穿設した通孔５４を塞いで前記操作部材５２の不正操作を防止するための、実施例１に係る第１の保護部材５６が着脱自在に配設されている。この第１の保護部材５６は、図１〜図３に示す如く、前記通孔５４より大径の円形で板状に形成された本体５８と、該本体５８の裏面(左側壁４０と対向する面)に突設されて通孔５４に挿入される突起部６０とから構成される。この突起部６０には、その先端部に、前記通孔５４の開口形状と略同一形状に設定されて該通孔５４に嵌合される嵌合部６０ａが形成される。そして、突起部６０を通孔５４に挿入してその嵌合部６０ａを通孔５４に嵌合することで、本体５８の裏面が前記左側壁４０の外面に密着するように、当該第１の保護部材５６が前記ケース体２８に取付けられるようになっており、該突起部６０が取付け手段として機能するようにしてある。なお、突起部６０の本体５８からの突出寸法は、本体５８の裏面が左側壁４０の外面に密着した状態で、該突起部６０の先端が通孔５４内に臨む前記操作部材５２の操作頭部５２ｃに当接しない値に設定され、ケース体２８に第１の保護部材５６を取付けた状態で、該保護部材５６を外部から押しても操作部材５２が操作されることはないよう構成される。
【００３２】
〔実施例１の作用〕
次に、前述した実施例１に係る遊技機の球払出装置の作用につき説明する。
【００３３】
前記ケース体２８単位で取扱われる球払出装置Ｌは、図４に示す如く、前記球貯留排出経路部１８を予め組付けた前記機構セット盤Ｇに対して、前記球通路４２が球送出路部２４に整合連通する状態でセットされる。また前記ケース体２８の左側壁４０に穿設されている通孔５４は、第１の保護部材５６により塞がれている。
【００３４】
前記パチンコ機Ｐでパチンコゲームが展開されている途中で入賞球が発生した場合、あるいは遊技者による適正な球貸し操作が行なわれた場合には、前記払出制御装置２６から発信される球払出し信号に基いて、前記球払出装置Ｌが作動制御されることにより、球送出路部２４内の所定数の遊技球Ｔが賞球または貸球として前記上球皿側へ給出される。すなわち、前記払出制御装置２６からの球払出し信号の発信前では、前記電磁ソレノイド３０に対して通電されず、前記規制部材４８は前記引張バネ５０の付勢力により拘束状態に保持され、前記球送り体４４は回転停止状態とされる(図２参照)。このもとで前記払出制御装置２６から球払出し信号が発信されると、前記電磁ソレノイド３０に対して通電され、前記磁力発生部３０ｂに磁力が発生し、前記磁着部３０ｃに規制部材４８が吸着されることで、球送り体４４は回転停止状態から解放される。この結果、球送り体４４は、前記球通路４２内の遊技球Ｔを球受部４４ａに受入れながら該遊技球Ｔの自重によって回転されて、該遊技球Ｔを排出する。
【００３５】
次に、前記球貯留排出経路部１８に貯留されている全ての遊技球Ｔを前記上球皿または下球皿に排出する場合は、前記ケース体２８から第１の保護部材５６を取外して、前記通孔５４を開放する。このもとで、該通孔５４に外側から作動部材を差込んで前記操作部材５２を作動させる。すなわち、作動部材で操作部材５２を右方に押すことで、その軸部５２ａにより前記規制部材４８は引張バネ５０の付勢力に抗して拘束状態から解放状態に傾動変化される。これにより、前記球送り体４４は回転停止状態から解放され、球貯留排出経路部１８に貯留されている全ての遊技球Ｔは前記上球皿または下球皿に排出される。前記球抜き終了後は、前記作動部材を通孔５４から引抜けば、前記引張バネ５０の付勢力によって拘束状態に戻る規制部材４８によって操作部材５２も初期の待機位置に戻る。最後に、前記第１の保護部材５６の突起部６０を通孔５４に挿入し、前記本体５８の裏面をケース体２８における左側壁４０の外面に密着させる。この状態で、前記突起部６０の嵌合部６０ａが通孔５４に嵌合し、第１の保護部材５６が簡単に通孔５４から脱落することはない。
【００３６】
前記第１の保護部材５６をケース体２８に取付けた状態では、前記通孔５４は第１の保護部材５６により塞がれているから、針金等の不正物を用いた不正行為による球抜きを確実に防止し得る。また前記突起部６０の嵌合部６０ａを通孔５４に嵌合しているから、両者６０ａ,５４の間には隙間がなく、針金等の不正物が通孔５４に侵入されることをより確実に防止することができる。なお、ケース体２８に対する第１の保護部材５６の取付けは、突起部６０を通孔５４に挿入して行なうから、該保護部材５６のケース体２８への位置決めは容易である。
【００３７】
実施例１に係る第１の保護部材５６の本体５８は板状に形成されて、ケース体２８から外方に大きく突出しないので、球払出装置Ｌの機構セット盤Ｇに対するセット時に邪魔となることはない。また、球払出装置Ｌを設置するためのスペースが、第１の保護部材５６のために増大することはなく、他の部材との干渉を考慮して大きな設計変更を要する必要もない。
【００３８】
〔実施例１の変更例〕
第１の保護部材における本体の形状は円形に限定されるものでなく、通孔を塞ぐことができるものであれば、四角形やその他各種の形状を採用し得る。また実施例１では、突起部の一部に通孔の開口形状と略同一に設定した嵌合部を形成したが、突起部の全体を通孔の開口形状と略同一に設定してもよい。なお、通孔および突起部の形状に関しても、各種の形状が採用可能である。更に、突起部の全体あるいは先端のみをゴムや軟質の合成樹脂等の弾性体で構成することができ、この場合は通孔への挿入が容易となる。
【００３９】
実施例１では、切替機構を操作部材を介して切替操作する場合で説明したが、該操作部材を省略し、通孔に外側から差込んだ作動部材により規制部材を直接操作するものであってもよい。また切替機構や球送り体の構成は、前述したものに限定されるものではなく、球通路を流通する遊技球の通過を許容したり規制し得るものであれば、各種の構成を採用し得る。
【００４０】
図５〜図１０は、前記実施例１とは異なる別の実施例を示すものであって、その基本的な構成は同じであるので、異なる部分についてのみ説明すると共に、同一部材には同じ符号を付して示すものとする。
【実施例２】
【００４１】
図５および図６に示す実施例２に係る球払出装置Ｌでは、前記ケース体２８の左側壁４０における通孔５４に対応する位置の外面側に、第１の保護部材５６と同一構成の第２の保護部材６２の本体５８が挿入可能な形状で、かつ該本体５８の厚みと略同一深さに設定される溝部６４が形成されている。すなわち、実施例２においては、突起部６０を通孔５４に挿入すると共に、本体５８を溝部６４に挿入することで、該本体５８の裏面が溝部６４の底面(左側壁４０の外面)に密着した状態で、当該第２の保護部材６２がケース体２８に取付けられる。従って、前記通孔５４は第２の保護部材６２により塞がれ、針金等の不正物を用いた不正行為による球抜きは確実に防止される。
【００４２】
また実施例２においては、第２の保護部材６２をケース体２８に取付けた状態で、前記本体５８の外表面が左側壁４０の外面と略面一となり、第２の保護部材６２が左側壁４０から外方に全く突出しない(図６参照)。従って、ケース体２８に第２の保護部材６２を取付けた状態であっても、球払出装置Ｌの設置スペースが増大することはない。更に、第２の保護部材６２が外方に突出しないから、メンテナンスや組付け時等に誤って引掛けて脱落させてしまうことも防止し得る。なお、実施例２においても、第２の保護部材６２をケース体２８に取付けた状態では、前記突起部６０の先端が通孔５４内に臨む前記操作部材５２の操作頭部５２ｃに当接しないようになっているから、該保護部材６２を誤って外部から押しても操作部材５２が操作されることはない。
【００４３】
〔実施例２の変更例〕
実施例２では、前述した実施例１の変更例を採用し得る。また、本体が挿入される溝部の大きさは、該本体が挿入可能であればよく、本体の外周面と溝部の内周面との間に指等を引掛け得る隙間が形成されるものであってもよい。
【００４４】
ここで、前記溝部６４に本体５８を挿入すると、第２の保護部材６２をケース体２８から取外すのが困難となるおそれがある。そこで、図７に示すように、ケース体２８の左側壁４０に、溝部６４に連通する取出し部としての切欠部６６を形成し、該切欠部６６の形成位置において、本体５８の外端に操作者の指を引掛け得る隙間を画成するようにする。これにより、第２の保護部材６２の取外し作業は容易となる。
【００４５】
なお、取出し部としては、前記切欠部６６に限定されるものでなく、本体５８の外面側に断面Ｌ字状の溝を形成し、該溝に指を引掛けて第２の保護部材６２を取外すようにしたり、あるいは摘みを設けるようにしてもよい。
【実施例３】
【００４６】
図８に示す実施例３に係る球払出装置Ｌでは、前記ケース体２８における左側壁４０に円形の溝部６４と通孔５４とが形成されると共に、該通孔５４の内周面には雌ネジ部６８が形成されている。これに対して第３の保護部材７０は、溝部６４に挿入可能な本体５８の裏面に突設された円柱状の突起部６０の外周面に、前記雌ネジ部６８に螺合可能な雄ネジ部(螺子部)７２が形成される。すなわち、第３の保護部材７０においては、その突起部６０を通孔５４に挿入すると共に回転してネジ込むことで、本体５８が溝部６４に挿入されると共に、本体５８の裏面が溝部６４の底面(左側壁４０の外面)に密着するように取付けられる。従って、実施例３においては、突起部６０の雄ネジ部７２が取付け手段として機能する。
【００４７】
そして、実施例３の構造によれば、前記実施例１および２が奏する作用効果の他に、ケース体２８に対して第３の保護部材７０を強固に取付けることができ、該保護部材７０とケース体２８との密着性が増し、通孔５４に不正物を侵入させることをより確実に防止し得るようになる。
【００４８】
〔実施例３の変更例〕
実施例３においては、第３の保護部材のケース体からの取出しを容易とするため、前述した摘み等、該保護部材を回転させることが可能な各種の取出し部を設けることができる。また本体および溝部に関しては、第３の保護部材を回転して突起部の雄ネジ部を通孔の雌ネジ部に対して螺合したり取外し可能であれば、その形状や大きさは限定されない。更に、実施例３においては、前記ケース体の左側壁に溝部を形成した場合で説明したが、溝部を省略して本体が左側壁から突出するものであってもよい。
【実施例４】
【００４９】
図９に示す実施例４に係る球払出装置Ｌでは、前記ケース体２８における左側壁４０に円形の溝部６４と通孔５４とが形成されると共に、該溝部６４の内周面には雌ネジ部７４が形成されている。これに対して第４の保護部材７６は、通孔５４に挿入可能な突起部６０を裏面に突設した円盤状の本体５８の外周面に、前記雌ネジ部７４に螺合可能な雄ネジ部(螺子部)７８が形成されている。すなわち、第４の保護部材７６においては、その本体５８を溝部６４に挿入すると共に回転してネジ込むことで、前記突起部６０が通孔５４に挿入されると共に、本体５８の裏面が溝部６４の底面(左側壁４０の外面)に密着するように取付けられる。従って、実施例４においては、本体５８の雄ネジ部７８が取付け手段として機能する。
【００５０】
そして、実施例４の構造によれば、前記実施例１および２が奏する作用効果の他に、ケース体２８に対して第４の保護部材７６を強固に取付けることができ、該保護部材７６とケース体２８との密着性が増し、通孔５４に不正物を侵入させることを確実に防止し得る。
【００５１】
〔実施例４の変更例〕
実施例４においては、第４の保護部材のケース体からの取出しを容易とするため、前述した摘み等、該保護部材を回転させることが可能な各種の取出し部を設けることができる。また突起部および通孔に関しては、第４の保護部材を回転して本体の雄ネジ部を溝部の雌ネジ部に対して螺合したり取外し可能であれば、その形状や大きさは限定されない。
【実施例５】
【００５２】
図１０に示す実施例５に係る球払出装置Ｌでは、前記ケース体２８の左側壁４０には通孔５４のみが穿設されている。また第５の保護部材８０は、前記第１の保護部材５６と同じ構成であって、本体５８の裏面に突起部６０が突設される。そして、実施例５では、更に、本体５８の裏面に取付け手段としての粘着シール８２が貼着されている。この粘着シール８２は、ケース体２８の左側壁４０と対向する表面に貼着面を有し、前記突起部６０を通孔５４に挿入すると共に該粘着シール８２を左側壁４０の外面に貼着することで、第５の保護部材８０はケース体２８に取付けられる。なお、実施例５においては、本体５８の裏面は、粘着シール８２を介して左側壁４０に密着する。
【００５３】
このように実施例５においては、前述した実施例１および２の作用効果の他に、本体５８に粘着シール８２を貼着しているだけの簡単な構成であるから、コストを低廉に抑えることができる。なお、粘着シール８２としては、繰り返して貼着することが可能なものが推奨される。
【００５４】
〔実施例５の変更例〕
実施例５においては、前記ケース体の左側壁に溝部を形成していない場合で説明したが、溝部を形成してもよい。この場合に、第５の保護部材のケース体からの取出しを容易とするため、前述した各種の取出し部を設けることができる。
【図面の簡単な説明】
【００５５】
【図１】実施例１に係る球払出装置を示す外観斜視図である。
【図２】実施例１に係る球払出装置を示す縦断正面図である。
【図３】実施例１に係る第１の保護部材をケース体から取外した状態で球払出装置を示す要部拡大縦断正面図である。
【図４】実施例に係る球払出装置を備えたパチンコ機の背面図である。
【図５】実施例２に係る第２の保護部材をケース体から取外した状態で球払出装置を示す要部拡大縦断正面図である。
【図６】実施例２に係る第２の保護部材をケース体に取付けた状態で球払出装置を示す要部拡大縦断正面図である。
【図７】実施例２に係る球払出装置の変形例を示す要部拡大斜視図である。
【図８】実施例３に係る第３の保護部材をケース体から取外した状態で球払出装置を示す要部拡大縦断正面図である。
【図９】実施例４に係る第４の保護部材をケース体から取外した状態で球払出装置を示す要部拡大縦断正面図である。
【図１０】実施例５に係る第５の保護部材をケース体から取外した状態で球払出装置を示す要部拡大縦断正面図である。
【符号の説明】
【００５６】
２８ ケース体，３２ 切替機構，４０ 左側壁(壁)，４２ 球通路，４４ 球送り体
５４ 通孔，５６ 第１の保護部材(保護部材)，５８ 本体，６０ 突起部(取付け手段)
６２ 第２の保護部材(保護部材)，６４ 溝部，６６ 切欠部(取出し部)
７０ 第３の保護部材(保護部材)，７２ 雄ネジ部(螺子部,取付け手段)
７６ 第４の保護部材(保護部材)，７８ 雄ネジ部(螺子部,取付け手段)
８０ 第５の保護部材(保護部材)，８２ 粘着シール(取付け手段)，Ｔ 遊技球
【図１】
0003104680.tif 000003
【図２】
0003104680.tif 000004
【図３】
0003104680.tif 000005
【図４】
0003104680.tif 000006
【図５】
0003104680.tif 000007
【図６】
0003104680.tif 000008
【図７】
0003104680.tif 000009
【図８】
0003104680.tif 000010
【図９】
0003104680.tif 000011
【図１０】
0003104680.tif 000012